【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
プロセスを実施するプロセスプラント環境内部で用いるためのプラント通信システムであって、
プロセスプラント内部に配設されて前記プロセスを制御する多様なプロセス制御装置と、前記多様なプロセス制御装置に通信可能に結合されたプロセス制御・通信ネットワークとを含む、プロセス制御ネットワークであって、前記多様なプロセス制御装置のうちの１つ以上が、プロセス制御データを収集または生成する、プロセス制御ネットワークと、
さらなるプラント通信ネットワークリンクによってともに通信可能に結合された複数の処理装置を含む、さらなるプラント通信ネットワークであって、前記さらなるプラント通信ネットワーク上の前記複数の処理装置のうちの少なくとも１つが、前記プロセス制御・通信ネットワークに通信可能に接続される、さらなるプラント通信ネットワークと、
分散型データパイプラインであって、データパイプラインが下流データ処理モジュールのセットに結合された１つ以上の上流データ処理モジュールを含むように、特定の通信順序でともに通信可能に接続されて、前記特定の通信順序でプロセス制御データの処理を行う、一連のデータ処理モジュールを含み、データパイプライン内部の前記下流データ処理モジュールのセットの各々が、前記データパイプライン内部の１つ以上の上流データ処理モジュールから受信されたデータを処理し、前記データパイプラインの前記１つ以上の上流データ処理モジュールのうちの少なくとも１つが、前記プロセス制御・通信ネットワークに接続された前記多様なプロセス制御装置のうちの１つに配設され、前記データパイプラインの前記下流データ処理モジュールのうちの少なくとも１つが、前記さらなるプラント通信ネットワークの前記複数の処理装置のうちの１つに配設される、分散型データパイプラインと、を備える、プラント通信システム。
【請求項２】
前記データパイプラインの前記下流データ処理モジュールのうちの前記１つによって生成された前記データを格納し、前記さらなるプラント通信ネットワークを介して、前記格納されたデータを他のアプリケーションで利用可能にするために前記データパイプラインの前記下流データ処理モジュールのうちの１つに通信可能に結合された、データベースをさらに含む、請求項１に記載のプラント通信システム。
【請求項３】
前記上流データ処理モジュールのうちの１つが、前記プロセス制御ネットワークに配設されて、前記データパイプラインによって処理するための未処理のプロセス制御データを収集し、前記収集された未処理のプロセス制御データを別個に格納するために前記プロセス制御・通信ネットワークに通信可能に結合されたデータベースをさらに含む、請求項１または請求項２に記載のプラント通信システム。
【請求項４】
前記さらなるプラント通信ネットワークが、ビッグデータ通信ネットワークである、請求項１〜請求項３の何れか１項に記載のプラント通信システム。
【請求項５】
前記さらなるプラント通信ネットワークが、ともに結合された複数の異なる通信ネットワークを備える、請求項１〜請求項４の何れか１項に記載のプラント通信システム。
【請求項６】
前記複数の異なる通信ネットワークが、第１のプラントベースの通信ネットワークと、第２のクラウドベースの通信ネットワークとを含む、請求項５に記載のプラント通信システム。
【請求項７】
前記データパイプラインが、前記複数の異なる通信ネットワークの各々の内部の処理装置に格納された、少なくとも１つの異なるデータ処理モジュールを含む、請求項５または請求項６に記載のプラント通信システム。
【請求項８】
前記複数の異なる通信ネットワークのうちの少なくとも１つが、無線通信ネットワークである、請求項５〜請求項７の何れか１項に記載のプラント通信システム。
【請求項９】
前記プロセス制御・通信ネットワークが、ともに通信可能に結合された複数の異なる制御・通信ネットワークを備える、請求項１〜請求項８の何れか１項に記載のプラント通信システム。
【請求項１０】
前記データ処理モジュールのうちの１つが、前記プロセス制御ネットワーク内部のデータ源から得られたデータをクリーニングするデータクリーニングモジュールである、請求項１〜請求項９の何れか１項に記載のプラント通信システム。
【請求項１１】
前記データ処理モジュールのうちの１つが、前記プロセス制御ネットワーク内部の多数のデータ源からのデータを時間整合させるデータ整合モジュールである、請求項１〜請求項１０の何れか１項に記載のプラント通信システム。
【請求項１２】
前記データ処理モジュールのうちの１つが、プラント内部の特定のイベントに対するデータの感度を判定する感度データ分析モジュールである、請求項１〜請求項１１の何れか１項に記載のプラント通信システム。
【請求項１３】
前記データ処理モジュールのうちの１つが、データ源からのデータと、プラント内部のイベントとの間の因果関係を判定する因果関係分析モジュールである、請求項１〜請求項１２の何れか１項に記載のプラント通信システム。
【請求項１４】
前記データ処理モジュールのうちの１つが、前記データについての教師付き学習を行う学習モジュールである、請求項１〜請求項１３の何れか１項に記載のプラント通信システム。
【請求項１５】
前記データ処理モジュールのうちの１つが、前記データについての教師なし学習を行う学習モジュールである、請求項１〜請求項１４の何れか１項に記載のプラント通信システム。
【請求項１６】
前記データ処理モジュールのうちの１つが、前記データパイプライン内部で生成されたデータをユーザに提示するデータ提示モジュールである、請求項１〜請求項１５の何れか１項に記載のプラント通信システム。
【請求項１７】
前記データパイプラインが、前記プロセス制御ネットワークからプロセスデータを収集する１つ以上のデータ収集モジュールと、前記データ収集モジュールのうちの１つ以上または別の中間データ処理モジュールによって収集された前記データを処理する１つ以上の中間データ処理モジュールと、前記１つ以上の中間データ処理モジュールまたは１つ以上の最終使用データ処理モジュールによって生成された出力データを、１つ以上の他のアプリケーションによってアクセスされることができるような方法で格納する前記１つ以上の最終使用データ処理モジュールと、を含む、請求項１〜請求項１６の何れか１項に記載のプラント通信システム。
【請求項１８】
前記データパイプラインの前記データ処理モジュールのうちの１つ以上が、前記データパイプライン内部で断続的に接続される、請求項１７に記載のプラント通信システム。
【請求項１９】
前記１つ以上の断続的に接続されたデータ処理モジュールのうちの１つが、前記データパイプライン内部で発生させたデータをユーザに対して表示するデータディスプレイモジュールである、請求項１７または請求項１８に記載のプラント通信システム。
【請求項２０】
前記１つ以上の断続的に接続されたデータ処理モジュールのうちの１つが、前記さらなるプラント通信ネットワークに断続的に接続された携帯型装置に配設される、請求項１７〜請求項１９の何れか１項に記載のプラント通信システム。
【請求項２１】
前記多様なプロセス制御装置のうちの１つが、１つ以上の制御ルーチンを、制御器の実行速度で実行するプロセス制御器であり、前記多様なプロセス制御装置のうちの１つに配設された前記データパイプラインの前記１つ以上の上流データ処理モジュールによって収集された前記プロセス制御データが、前記制御器の実行速度を上回る速度で、プロセス制御データを収集する、請求項１〜請求項２０の何れか１項に記載のプラント通信システム。
【請求項２２】
プラント内部のプロセスを制御するためのプラント制御・通信システムであって、
実行速度で前記プロセスの制御を実行するプロセス制御器を含む、前記プラント内部に配設されて前記プロセスを制御する多様なプロセス制御装置と、
前記プラント内部に配設された複数のデータ処理装置と、
前記多様なプロセス制御装置及び前記複数のデータ処理装置を通信可能に結合する１つ以上の通信ネットワークと、
制御器の実行速度を上回る収集データ速度で、前記プラント内部の前記プロセス制御装置から未処理のデータを収集する、前記プラント内部で前記多様なプロセス制御装置間に分散して配設された１つ以上のデータ源と、
前記収集データ速度で前記１つ以上のデータ源から前記収集された未処理のデータを格納するために前記１つ以上の通信ネットワークに通信可能に結合されたデータベースと、
前記プラント内部の前記複数の処理装置のうちの１つ以上に配設されたデータパイプラインであって、前記データパイプラインが、特定の通信順序でともに通信可能に接続された一連のデータ処理モジュールを含み、前記データパイプラインの前記データ処理モジュールのうちの少なくとも１つが、前記１つ以上のデータ源のうちの１つからの未処理のデータに対するデータ処理動作を行い、前記データ処理モジュールのうちの少なくとも別の１つが、データパイプライン内部の前記データ処理モジュールのうちの１つから受信されたデータに対するデータ処理を行い、前記データ処理モジュールのうちの少なくとも２つが、前記プロセス制御器の前記実行速度よりも速い速度で動作する、データパイプラインと、を備える、プラント制御・通信システム。
【請求項２３】
前記データ処理モジュールのうちの前記少なくとも２つが、前記プロセス制御器の前記実行速度よりも速い速度で前記２つのデータ処理モジュール間でデータ通信することによって、前記プロセス制御器の前記実行速度よりも速い速度で動作する、請求項２２に記載のプラント制御・通信システム。
【請求項２４】
前記データパイプラインの下流データ処理モジュールのうちの１つに通信可能に結合され、前記データパイプラインの前記下流データ処理モジュールのうちの前記１つによって生成された前記データを格納し、前記格納されたデータを他のアプリケーションで利用可能にするためのデータベースをさらに含む、請求項２２または請求項２３に記載のプラント制御・通信システム。
【請求項２５】
プラントが、前記多様なプロセス制御装置及び前記複数のデータ処理装置を通信可能に結合する２つ以上の通信ネットワークを含み、前記データパイプラインが、前記２つ以上の通信ネットワークの各々にわたって分散させた装置内のデータ処理モジュールを含む、請求項２２〜請求項２４の何れか１項に記載のプラント制御・通信システム。
【請求項２６】
前記２つ以上の通信ネットワークが、少なくとも１つのプロセス制御・通信ネットワークと、１つの他のプラント通信ネットワークとを含む、請求項２２〜請求項２５の何れか１項に記載のプラント制御・通信システム。
【請求項２７】
前記１つ以上の通信ネットワークが、プロセス制御ネットワークであり、前記データ処理モジュールのうちの１つが、プロセス制御ネットワーク内部のデータ源からデータを得るデータ選択モジュールである、請求項２２〜請求項２６の何れか１項に記載のプラント制御・通信システム。
【請求項２８】
前記データパイプラインが、プロセスデータを収集する１つ以上のデータ収集モジュールと、前記データ収集モジュールのうちの１つ以上または別の中間データ処理モジュールによって収集された前記データを処理する１つ以上の中間データ処理モジュールと、前記１つ以上の中間データ処理モジュールによって生成された出力データを、１つ以上の他のアプリケーションによってアクセスされることができるような方法で格納する１つ以上の最終使用データ処理モジュールと、を含む、請求項２２〜請求項２７の何れか１項に記載のプラント制御・通信システム。
【請求項２９】
前記データパイプラインの前記データ処理モジュールのうちの１つ以上が、前記データパイプライン内部に断続的に接続されるように構成される、請求項２８に記載のプラント制御・通信システム。
【請求項３０】
プロセスを実施するプロセスプラント環境内部で用いるためのプロセスプラント通信システムであって、
プラント内部に配設されて前記プロセスを制御する多様なプロセス制御装置と、前記多様なプロセス制御装置間に通信可能に結合されたプロセス制御・通信ネットワークとを含み、前記多様なプロセス制御装置のうちの１つ以上が、プロセス制御データを収集または生成する、プロセス制御ネットワークと、
さらなるプラント通信ネットワークリンクによってともに通信可能に結合された複数の処理装置を含み、さらなるプラント通信ネットワーク上の前記複数の処理装置のうちの少なくとも１つが、前記プロセス制御・通信ネットワークに通信可能に接続される、さらなるプラント通信ネットワークと、
複数の分散型データパイプラインであって、各データパイプラインが、ともに通信可能に接続されて、プロセス制御データに対して特定のシーケンスで処理を行う一連の異なるデータ処理モジュールを含み、各データパイプラインが、前記プロセス制御ネットワークからプロセスデータを収集する１つ以上のデータ収集モジュールと、データ収集モジュールのうちの１つ以上または別の中間データ処理モジュールによって収集されたデータを処理する１つ以上の中間データ処理モジュールと、前記１つ以上の中間データ処理モジュールによって生成されたデータを用いてデータパイプライン出力データを発生させる１つ以上の終了データ処理モジュールと、を含み、各データパイプラインの少なくとも２つのデータ処理モジュールが、前記プロセス制御・通信ネットワーク及び前記さらなるプラント通信ネットワーク内部の異なる装置に位置する、複数の分散型データパイプラインと、
前記さらなるプラント通信ネットワーク内部で通信可能に接続された高水準分析アプリケーションのセットであって、前記高水準分析アプリケーションのセットの各々が、前記分散型データパイプラインのうちの１つ以上の前記終了データ処理モジュールによって生成されたデータに署名する、高水準分析アプリケーションのセットと、を含む、プロセスプラント通信システム。
【請求項３１】
前記高水準分析アプリケーションのセットのうちの１つが、前記分散型データパイプラインのうちの１つ以上に断続的に接続する、請求項３０に記載のプロセスプラント通信システム。
【請求項３２】
前記分散型データパイプラインのうちの１つの前記データ処理モジュールが、データを処理して、前記プロセスのオンライン動作中に、前記分散型データパイプラインのうちの前記１つの内部でデータ通信する、請求項３０または請求項３１に記載のプロセスプラント通信システム。
【請求項３３】
前記高水準分析アプリケーションのうちの１つが、前記分散型データパイプラインのうちの２つ以上からのデータに署名する、請求項３０〜請求項３２の何れか１項に記載のプロセスプラント通信システム。
【請求項３４】
前記プロセス制御ネットワークが、前記多様なプロセス制御装置をともに通信可能に結合する２つ以上の通信ネットワークを含み、前記分散型データパイプラインのうちの１つが、前記２つ以上の通信ネットワークの各々にわたって分散させた装置内のデータ処理モジュールを含む、請求項３０〜請求項３３の何れか１項に記載のプロセスプラント通信システム。
【請求項３５】
プラント内部に配設されてプロセスを制御する多様なプロセス制御装置と、前記多様なプロセス制御装置間で通信可能に結合されたプロセス制御・通信ネットワークとを含む、プロセス制御ネットワークを有し、前記多様なプロセス制御装置のうちの１つ以上が、プロセス制御データを収集または生成し、さらなるプラント通信ネットワークリンクによってともに通信可能に結合された複数の処理装置を含むさらなるプラントネットワークを含む、プラント内でデータを処理するための方法であって、前記方法が、
プロセス制御ネットワーク内部に、及び前記さらなるプラントネットワーク内に分散型データパイプラインを格納することであって、前記分散型データパイプラインを格納することが、特定の順序でともに通信可能に接続されて、前記プロセス制御装置及び処理装置のうちのさまざまな異なるものにおいてプロセス制御データに対して処理を行うように構成された一連のデータ処理モジュールを格納することを含むことと、
前記プロセス制御ネットワークのオンライン動作中に、データパイプラインの前記データ処理モジュールのうちの１つ以上においてデータを収集することと、
前記プロセス制御ネットワークのオンライン動作中に、前記分散型データパイプラインの前記データ処理モジュールにおいて、前記収集されたプロセスデータを処理することと、
コンピュータメモリ装置に、前記分散型データパイプラインの前記データ処理モジュールによって展開された処理済みデータを格納することと、
さらなる処理装置で実行されたさらなるアプリケーションにおいて、前記分散型データパイプラインの前記データ処理モジュールによって展開された前記データを用いることと、を含む方法。
【請求項３６】
コンピュータメモリ装置に、前記分散型データパイプラインの前記データ処理モジュールによって展開された前記処理済みデータを格納することが、ビッグデータマシンに前記処理済みデータを格納することを含む、請求項３５に記載のデータを処理する方法。
【請求項３７】
前記プロセス制御ネットワーク内部に、及び前記さらなるプラントネットワーク内に前記分散型データパイプラインを格納することが、前記さらなるプラントネットワークの第１のプラントサブネットワーク内部の装置に、前記データ処理モジュールのうちの少なくとも１つを格納することと、前記さらなるプラントネットワークの第２のプラントサブネットワークに、前記データ処理モジュールのうちの別の１つを格納することとを含む、請求項３５または請求項３６に記載のデータを処理する方法。
【請求項３８】
第１のプラントサブネットワークが、前記プラント内のビッグデータネットワークであり、かつ前記第２のプラントサブネットワークが、クラウドベースのネットワークである、請求項３７に記載のデータを処理する方法。
【請求項３９】
前記プロセス制御ネットワークのオンライン動作中に、前記データパイプラインの前記データ処理モジュールのうちの１つ以上においてデータを収集することが、オンラインプロセス制御を行うために前記プロセス制御ネットワーク内部で用いられる制御器の実行速度よりも速い速度でデータを収集することを含む、請求項３５〜請求項３７の何れか１項に記載のデータを処理する方法。
【請求項４０】
プロセスを制御するように動作する多様なプロセス制御装置を備えるプロセス制御ネットワークを有し、ともに通信可能に結合された多様な処理装置を有するプロセス通信ネットワークを有する、プロセスプラント内部にデータ処理パイプラインを構成する方法であって、
前記多様なプロセス制御装置及び前記処理装置のうちの異なるものの内部に、データ処理モジュールのセットを格納することと、
前記データ処理モジュールを固定するように通信可能に相互接続させて、通信可能に直列接続された３つ以上のデータ処理モジュールのセットを作り出すことと、
直列接続された前記３つ以上のデータ処理モジュールのセットを、プラントにおいて収集されたデータに対して、
プロセス制御ネットワーク内部のプロセス制御装置内部の一連のデータ処理モジュールのうちの１つ以上を、未処理のプロセスデータを収集するためのデータ収集モジュールとして構成することと、
前記一連のデータ処理モジュールのうちの１つ以上を、１つ以上のデータ収集モジュールと通信し、前記データ収集モジュールによって収集された前記未処理のプロセスデータを処理して中間プロセスデータを作成するための中間プロセスモジュールとして構成することと、
前記一連のデータ処理モジュールのうちの１つ以上を、中間データ処理モジュールのうちの１つ以上と通信し、前記中間プロセスデータを処理して、最終使用プロセスデータを生成するための最終使用プロセスモジュールとして構成することであって、前記プロセス通信ネットワークに通信可能に接続された１つ以上の署名アプリケーションに、前記最終使用プロセスデータを提供するための最終使用データ処理モジュールのうちの１つ以上を構成することを含む、構成することと、
を含む特定のタイプのデータ処理を行うように構成することと、を含む方法。
【請求項４１】
前記プロセス制御ネットワーク内部のプロセス制御装置内部に格納された前記一連のデータ処理モジュールのうちの前記１つ以上を、データ収集モジュールとして構成することが、前記一連のデータ収集モジュールのうちの前記１つ以上を、前記プロセス制御ネットワーク内部でプロセス制御を行うプロセス制御器の制御器実行速度よりも速い速度で前記未処理のプロセスデータを収集するように構成することを含む、請求項４０に記載のプロセスプラント内部にデータ処理パイプラインを構成する方法。
【請求項４２】
前記一連のデータ処理モジュールのうちの１つ以上を、中間データプロセスモジュールとして構成することが、前記１つ以上の中間データプロセスモジュールを、前記プロセス制御器の実行速度よりも速い速度で前記未処理のプロセスデータを処理するように構成することを含む、請求項４１に記載のプロセスプラント内部にデータ処理パイプラインを構成する方法。
【請求項４３】
前記一連のデータ処理モジュールのうちの１つ以上を、最終使用プロセスモジュールとして構成することが、前記最終使用プロセスモジュールのうちの前記１つ以上を、前記プロセス制御器の実行速度よりも速い速度で前記中間プロセスデータを処理するように構成することを含む、請求項４１または請求項４２に記載のプロセスプラント内部にデータ処理パイプラインを構成する方法。
【請求項４４】
前記多様なプロセス制御装置及び前記処理装置のうちの異なるものの内部に、データ処理モジュールのセットを格納することが、前記データ処理モジュールのうちのいくつかをプロセス制御ネットワーク装置に格納し、前記データ処理モジュールのうちの他をプロセス通信ネットワーク装置内に格納することを含む、請求項４０〜請求項４３の何れか１項に記載のプロセスプラント内部にデータ処理パイプラインを構成する方法。